(57)【要約】【課題】給気すべき室内の天井に設けた吹出口から壁や窓ガラス等に沿った下方へのドラフトが生じることを防止することができ、かつ室内においても給気を円滑に拡散させることが可能となる吹出口の風向制御機構およびこれを用いたダクトレス換気システムを提供する。【解決手段】給気すべき部屋の天井１１に形成された多角形状の開口２７の中央部を塞ぐとともに天井１１ａに固定された固定板２８と、この固定板上に水平方向に移動自在に設けられ、外周縁が上記多角形よりも小さな相似形に形成された移動部材３４とを備え、開口と移動部材の外周縁との間に吹出口３５が形成されるとともに、固定板に開口の一辺２７ａに向かって延在する第１の溝部３８と、この第１の溝部に連通して一辺２７ａに隣接する他辺に向かって延在する第２の溝部４０とを有する案内溝が形成され、移動部材に案内溝に挿通される突部３８が設けられてなる。【選択図】図３
2008032347.tif 000002
【特許請求の範囲】
【請求項１】
給気すべき部屋の天井に形成された多角形状の吹出用の開口の中央部を塞ぐとともに上記天井に固定された固定板と、この固定板上に水平方向に移動自在に設けられ、外周縁が上記開口の多角形よりも小さな相似形に形成された移動部材とを備え、上記開口と上記固定板または上記移動部材の外周縁との間に吹出口が形成されるとともに、上記固定板に上記開口の一辺に向かって延在する第１の溝部と、この第１の溝部に連通して上記一辺に隣接する他辺に向かって延在する第２の溝部とを有する案内溝が形成され、上記移動部材に上記案内溝に挿通される突部が設けられてなることを特徴とする吹出口の風向制御機構。
【請求項２】
上記移動部材は、底縁が上記多角形状に形成されるとともに頂部に向けて傾斜壁面が設けられた外観多角錐状に形成されていることを特徴とする請求項１に記載の吹出口の風向制御機構。
【請求項３】
上記移動部材の上方に、吸引した空気を上記吹出口に向けて送気するファンが設けられていることを特徴とする請求項１または２に記載の吹出口の風向制御機構
【請求項４】
上記ファンの上方に、上記空気の吸込み口が形成されるとともに、風量調整板を上記吸込み口に対して接離自在に設けたことを特徴とする請求項３に記載の吹出口の風向制御機構。
【請求項５】
給気すべき部屋に請求項１ないし４のいずれかに記載の吹出口の風向制御機構を備えた建物におけるダクトレス換気システムであって、
上記開口が形成された部屋の天井内が給気用のボイドスペースとされ、当該ボイドスペース内に循環型給気ファンが設けられるとともに、上記循環型給気ファンの吸入側に、外気取入ダクトおよび他の第１の部屋に開口する環流ダクトが接続され、かつ上記循環型給気ファンの吐出側が上記ボイドスペースに開口されるとともに、他の第２の部屋に内部の空気を屋外に排気する排気ファンを設け、上記部屋と上記第１および第２の部屋との間に、空気の流通路を設けたことを特徴とするダクトレス換気システム。
【請求項６】
上記部屋は居室であり、上記第１の部屋は廊下であるとともに、上記第２の部屋はサニタリースペースであることを特徴とする請求項５に記載のダクトレス換気システム。
【発明の詳細な説明】
【技術分野】
【０００１】
本発明は、住宅の換気システムにおいて、室内の天井に設けられた空気の吹出口に用いて好適な吹出口の風向制御機構およびこれを用いたダクトレス換気システムに関するものである。
【背景技術】
【０００２】
近年、建材やその接着剤あるいはシロアリ防止剤等から発生するホルムアルデヒド、アセトアルデヒド、トルエン、キシレン等の揮発性有機化合物に起因する、いわゆるシックハウス症候群の発生を防止するために、法規上、新築の戸建て住宅や共同住宅に対しても、０．５回／ｈｒの換気を２４時間連続して行うことが要求されている。
【０００３】
ところで、従来の住宅における換気システムとしては、例えば図１４に示すように、居室１、２の外壁に給気口１ａ、２ａを設け、浴室や洗面室あるいはトイレ等のサニタリースペース３の天井に排気ファン４を設けて、当該排気ファン４の吐出側を天井内５に設けた排気ダクト４ａを介して排気口４ｂに接続するとともに、居室１とサニタリースペース３との間、サニタリースペース３と廊下６との間、廊下６と居室２との間に、それぞれ通気部７を設けたものが知られている。ちなみに、この通気部７は、両室間に設けられたドア下部の隙間やドアガラリ等である。
【０００４】
これは、第３種換気システムと呼ばれるものであって、排気ファン４によってサニタリースペース３内の空気を、天井内５に設けられた排気ダクト４ａを介して排気口４ｂから外部に強制排気することにより、屋外の空気が給気口１ａ、２ａから居室１、２内に自然流入し、さらに通気部７から廊下６およびサニタリースペース３へと流れることにより、住戸内の全体の空気を換気するようにしたものである。
【０００５】
上記従来の換気システムにあっては、サニタリースペース３の天井および天井内５に排気ファン４および排気ダクト４ａ等を設置すればよいために、構造か簡易で経済的であるという利点はあるものの、上述したように２４時間連続して、０．５回／ｈｒの換気を行うと、居室１、２等における快適な空調環境を保持することができず、特に冬季においては寒冷な外気が直接かつ連続的に住戸内に導入されてしまうために、到底居住に耐え得ないという問題点があった。
【０００６】
このような問題点を解決する従来の換気システムとしては、図１５に示す第１種換気システムが知られている。
この換気システムは、天井内５に排気ファンを内蔵した熱交換ユニット８を設け、サニタリースペース３内の空気を、天井内５に設けた排気ダクト３ａを通じて熱交換ユニット８に送ったうえで排気ダクト４ａおよび排気口４ｂから排気するとともに、これに伴って給気口９から流入する外気を、上記熱交換ユニット８において、排気される室内の空気と熱交換した後に、天井内５に設置された給気ダクト９ａを通じて居室１、２の天井に設けた吹出口９ｂから室内に供給するようにしたものである。
【０００７】
上記従来の換気システムによれば、熱交換ユニット８において、給気口９から住戸内に採り入れられる外気を、室内から排気される空気と熱交換させた後に、居室１、２内に給気しているために、図１４に示したものと比較して、外気をより室内の温度に近付けたうえで、居室１、２等に供給することができる。
【０００８】
しかしながら、上記換気システムにあっても、熱交換ユニット８における空気流路が狭く、よって空気流速が大きくなるのに対して、大きな熱交換面積を確保することが難しいために、十分な熱交換を行って外気と排気との温度差を小さくすることが困難であり、依然として所望の空調環境を保持するためには、空調に要するエネルギーコストが高くなるという問題点があった。
【０００９】
加えて、天井内５に、給気ダクト９ａ、排気ダクト３ａ、４ａ等を設ける必要があるために、天井内５が狭隘となって保守点検の障害になるとともに、施工コストが高くなるという問題点もあった。
【００１０】
そこで、本発明者等は、先に下記特許文献１に見られるような、戸建住宅用ダクトレス換気システムを提案した。
このダクトレス換気システムは、天井内を給気ダクトとして利用したものであり、当該天井内に循環型給気ファンを設けるとともに、この循環型給気ファンの吸入側に、外気取入ダクトおよび廊下の空気を排気する環流ダクトが接続され、かつ上記循環型給気ファンの吐出側が天井内に開口されるとともに、居室に天井内の空気を室内に導入するための吹出口を設け、さらにサニタリースペースの天井に内部の空気を直接屋外に排気する排気ファンを設けたものである。
【００１１】
上記ダクトレス換気システムにおいては、循環型給気ファンによって、外気取入ダクトからの０．５回／ｈｒの量の外気と、環流ダクトを介して排気された０．５回／ｈｒの量の廊下の空気とを混合して、給気ダクトとなる天井内に送気する。すると、この天井内の空気は、吹出口から居室に給気されるとともに、通気部を通じてサニタリースペースおよび廊下へと流れる。また、これと並行して、外気取り入れ分に相当する０．５回／ｈｒの量のサニタリースペース内の空気を排気ファンから屋外に排気する。
【００１２】
この結果、上記ダクトレス換気システムによれば、住戸内において１．０回／ｈｒの量の換気を行うことができるために、例えば環流ダクトに清浄用フィルターを設置することにより、従来よりも大きな換気量を確保することができるとともに、環流ダクトからの室内の空気と外気とが天井内の広いスペースにおいて混合されるために、内外温度差によるヒートショックを大幅に緩和することができるという利点がある。しかも、天井内に設置すべきダクトを大幅に減少させることができるために経済性にも優れる。
【００１３】
ところで、上記ダクトレス換気システムにあっては、給気ダクトとなる天井内の空気が、居室の天井の設けた吹出口から給気されるために、室内に下方に向けたドラフト（空気流）が発生してしまうという欠点があった。特に、通常上記居室においては、照明を部屋の中央に設ける関係上、上記吹出口が居室のコーナー部に設けられているために、上記ドラフトにより壁や窓ガラス等を伝って冷えた空気が２４時間、連続的に給気されてしまい、居住者に不快感を与えるという問題点があった。
【００１４】
また、循環型給気ファンから送気された空気によって給気ダクトとなる天井内が正圧になるために、一部の空気が天井内から壁内を伝わってコンセントやターミナルコネクタ等の器具から噴き出すこともあり、流量自体は微量であるものの、椅子やベッド等の配置によっては、居住者に不快感を与えるおそれがあった。
【特許文献１】特開２００３−５００３４号公報
【発明の開示】
【発明が解決しようとする課題】
【００１５】
本発明は、かかる事情に鑑みてなされたもので、給気すべき室内において、天井に設けた吹出口から壁や窓ガラス等に沿った下方へのドラフトが生じることを防止することができ、かつ室内においても給気を円滑に拡散させることが可能となる吹出口の風向制御機構およびこれを用いたダクトレス換気システムを提供することを課題とするものである。
【課題を解決するための手段】
【００１６】
上記課題を解決するために、請求項１に記載の発明は、給気すべき部屋の天井に形成された多角形状の吹出用の開口の中央部を塞ぐとともに上記天井に固定された固定板と、この固定板上に水平方向に移動自在に設けられ、外周縁が上記開口の多角形よりも小さな相似形に形成された移動部材とを備え、上記開口と上記固定板または上記移動部材の外周縁との間に吹出口が形成されるとともに、上記固定板に上記開口の一辺に向かって延在する第１の溝部と、この第１の溝部に連通して上記一辺に隣接する他辺に向かって延在する第２の溝部とを有する案内溝が形成され、上記移動部材に上記案内溝に挿通される突部が設けられてなることを特徴とするものである。
【００１７】
また、請求項２に記載の発明は、請求項１に記載の移動部材が、底縁が上記多角形状に形成されるとともに頂部に向けて傾斜壁面が設けられた外観多角錐状に形成されていることを特徴とするものである。
【００１８】
さらに、請求項３に記載の発明は、請求項１または２に記載の発明において、上記移動部材の上方に、吸引した空気を上記吹出口に向けて送気するファンが設けられていることを特徴とするものであり、請求項４に記載の発明は、請求項３に記載のファンの上方に、上記空気の吸込み口が形成されるとともに、風量調整板を上記吸込み口に対して接離自在に設けたことを特徴とするものである。
【００１９】
次いで、請求項５に記載の発明は、給気すべき部屋に請求項１ないし４のいずれかに記載の吹出口の風向制御機構を備えた建物におけるダクトレス換気システムであって、上記開口が形成された部屋の天井内が給気用のボイドスペースとされ、当該ボイドスペース内に循環型給気ファンが設けられるとともに、上記循環型給気ファンの吸入側に、外気取入ダクトおよび他の第１の部屋に開口する環流ダクトが接続され、かつ上記循環型給気ファンの吐出側が上記ボイドスペースに開口されるとともに、他の第２の部屋に内部の空気を屋外に排気する排気ファンを設け、上記部屋と上記第１および第２の部屋との間に、空気の流通路を設けたことを特徴とするものである。
【００２０】
また、請求項６に記載の発明は、請求項５に記載の発明において、上記部屋は居室であり、上記第１の部屋は廊下であるとともに、上記第２の部屋はサニタリースペースであることを特徴とするものである。
【発明の効果】
【００２１】
請求項１〜４のいずれかに記載の発明によれば、給気すべき部屋の天井に形成された多角形状の開口の中央部を固定板によって塞ぐとともに、この固定板上に外周縁が上記開口の多角形よりも小さな相似形に形成された移動部材を水平方向に移動自在に設けているため、移動部材を上記開口の中央部に位置させれば、上記開口と固定板または移動部材の外周縁との間に、全周にわたって吹出口を形成することができる。
【００２２】
そして、上記吹出用の開口が、上記部屋の壁に近接して設けられ、この結果上記開口の一辺側に上記壁や当該壁に設けられた窓ガラスが位置する場合には、移動部材を第１の溝部に沿って上記一辺側に移動させることにより、当該移動部材によって上記一辺側における開口と移動部材との間に形成されていた吹出口を塞ぐことができる。
【００２３】
また、上記吹出用の開口が、上記部屋のコーナー部に設けられ、上記開口の一辺側およびこれに隣接する他辺側に、それぞれ壁や窓ガラスが近接して位置する場合には、先ず移動部材を第１の溝部に沿って上記一辺側に移動させ、さらにこの第１の溝部と連通する第２の溝部に沿って上記他辺側に移動させることにより、当該移動部材によって上記一辺側および他辺側における開口と移動部材との間に形成されていた吹出口を塞ぐことができる。
【００２４】
この際に、上記移動部材の移動に伴って、上記一辺側および他辺側の当該移動方向の後方側に位置する辺部においては、逆に吹出口の面積が大きくなる。この結果、上記部屋に対する給気量を減じることなく、給気を室内の中央側へと円滑に拡散させることができるとともに、上記吹出口から壁や窓ガラス等に沿った下方へのドラフトが生じることを防止することができる。
【００２５】
また、上記吹出口の風向制御機構によれば、固定板に対して移動部材を移動自在に設けているために、上記固定板および移動部材を取り付けた後に、適宜各々の取付箇所に応じて移動部材を移動させて、壁や窓ガラス側に位置する１箇所または隣接する２箇所の吹出口を選択的に塞ぐことができるために、建物全体として共通の部材を使用することができ、施工が容易である。
【００２６】
さらに、請求項２に記載の発明によれば、移動部材を外観多角錐状に形成しているために、上方からの空気の流れが当該移動部材の頂部から傾斜壁面に沿って外周側の吹出口へと案内されることになる。このため、吹出口から室内へ供給される空気が、当該吹出口から直下に流れることなく、上記傾斜面の傾斜角度に応じて斜め下方に流れるために、より一層上記給気を室内の広い範囲へと拡散させることが可能になる。
【００２７】
また、請求項３に記載の発明によれば、上記移動部材の上方に、吸引した空気を下方の吹出口に向けて送気するファンが設けられているために、各々の部屋において、独立的な給気を行うことができる。
加えて、請求項４に記載の発明によれば、当該ファンの上方に設けた風量調整板を、吸込み口に対して接離させることにより、部屋毎に吹出口から室内に供給される空気量を容易に調整することも可能になる。
【００２８】
したがって、請求項５または６に記載の発明にように、ダクトレス換気システムにおける吹出口に、上記請求項１〜４のいずれかに記載の吹出口の風向制御機構を設ければ、上述した吹出口の風向制御機構自体が奏する作用効果を得ることができる。特に、請求項３または請求項４に記載の吹出口の風向制御機構を設けた場合には、各吹出口にファンが設けられているために、天井内に形成された給気用のボイドスペース内の空気を、強制的に各室に送気することができるために、当該ボイドスペース内が過度に正圧となって、壁のコンセント等から給気の一部が噴出することを確実に防止することができる。
【発明を実施するための最良の形態】
【００２９】
図１〜図９は、本発明に係る吹出口の風向制御機構およびこれを用いたダクトレス換気システムの一実施形態を示すものある。
図１および図２において、図中符号１０が住宅である。この住宅１０は、３つの居室１１、浴室、洗面室およびトイレを備えたサニタリースペース（第２の部屋）１２、これら間の廊下（第１の部屋）１３を有しており、天井内に給気用のボイドスペース１４が形成されている。
また、これら居室１１、サニタリースペース１２および廊下１３の間に、ドア下部の隙間やドアガラリ等による通気部１５が形成されている。
【００３０】
そして、天井内のボイドスペース１４には、循環型給気ファン１６が設けられ、この循環型給気ファン１６の吸入側に、給気口１７から延びる外気取入ダクト１８と、廊下１３の空気を排気する環流ダクト１９とが接続されている。ここで、外気取入ダクト１８に、フィルター２０が介装されるとともに、廊下１３の天井には、環流ダクト１９の吸入口となる環流フィルター２１が取り付けられている。他方、この循環型給気ファン１６の吐出側１６ａは、ボイドスペース１４に開口されている。
【００３１】
また、サニタリースペース１２の天井には、内部の空気を直接屋外に排気するための排気ファン２２が設けられており、この排気ファン２２の吐出側に、ボイドスペース１４に配管された排気ダクト２３の一端部が接続されるとともに、この排気ダクト２３の他端部が排気口２４に接続されている。なお、図１においては、外気取入ダクト１８との重なりを避けて目視し易くするために、排気ダクト２３および排気口２４を、図２とは逆の方向に図示してある。そして、各居室１１のコーナー部に、室端末ファン２５を備えた吹出口の風向制御機構２６が設けられている。
【００３２】
各々の吹出口の風向制御機構２６においては、図３〜図５に示すように、居室１１の天井１１ａに正方形の開口２７が形成されるとともに、この開口２７の中央部を塞ぐ正方形の固定板２８が配設されている。ここで固定板２８は、その４角隅部において開口２７に取り付けられた枠材２９に取付板２８ａを介して固定されている。また、枠材２９には、ボイドスペース１４側に突出して開口２７を上方から囲繞する四角錐筒状の整流壁３０が一体的に設けられており、この整流壁３０の上端部に平板状のファン取付板３１が取り付けられている。
【００３３】
このファン取付板３１は、中央部に開口が形成されており、この開口を跨ぐようにして上記室端末ファン２５が取り付けられている。この室端末ファン２５は、モータ２５ａが開口２７の中心部に配設されるとともに、その下方に向けた出力軸に羽根２５ｂが取り付けられている。また、取付板３１には、室端末ファン２５を取り囲むようにして、筒状のガイド部材３２が立設されており、このガイド部材３２の縮径された頂部に吸込み口３３が形成されている。これにより、室端末ファン２５は、上記吸込み口３３から吸引した空気を下方に向けて送気するようになっている。
【００３４】
そして、この室端末ファン２５の下方に、移動部材３４が配設されている。この移動部材３４は、底板３４ａが開口２７よりも小さく、かつ固定板２８よりも大きな四角形状に形成された外観四角錐状の部材であり、底板３４ａの各辺が開口２７の各外縁辺２７ａと平行になるように配置されて、固定板２８の上面に沿って水平方向に移動自在に設けられている。これにより、開口２７の外縁辺２７ａと移動部材３４との間には、合計４つの吹出口３５が形成されている。
【００３５】
ここで、移動部材３４は、その頂部を室端末ファン２５の中心部の下方に位置させて配置されており、これにより移動部材３４の各傾斜壁面３４ｂと整流壁３０との間に、室端末ファン２５から送気された空気を、吹出口３５から斜め下方へと案内する流路３６が形成されている。
【００３６】
また、図５に示すように、移動部材３４の底板３４には、その上面中心にナット３７が固定されるとともに、このナット３７に連通する孔部が穿設されている。また、底板３４の下面には、一対の突部３８が上記孔部を間に挟んで等間隔をおいて直線上に位置するように固定されている。ちなみに、突部３８と孔部との距離は、吹出口３５における移動部材３４と開口２７の外縁辺２７ａとの間隔と等しい寸法に設定されており、これら突部３８を結ぶ上記直線が底板３４ａの一対の辺と平行になるように配置されている。
【００３７】
他方、固定板２８には、突部３８が係合する第１の溝部３９と第２の溝部４０とからなる案内溝が形成されている。第１の溝部３９は、固定板２８の中心を通り、かつ一対の外縁辺２７ａに向かって延在するように形成されている。この第１の溝部３９は、突部３８と上記孔部との間隔の４倍の長さ寸法に形成されている。また、第２の溝部４０は、第１の溝部３９に直交するとともに、第１の溝部３９の延在方向に沿って突部３８と孔部との間隔と等しい間隔をおいて形成されている。ここで、第１の溝部３９から第２の溝部４０の先端までの長さ寸法は、吹出口３５における移動部材３４と開口２７の外縁辺２７ａとの間隔と等しい寸法に設定されている。
【００３８】
そして、移動部材３４は、頭部に操作用のノブ４２が取り付けられるとともに、固定板２８の上記案内溝に挿通されてナット３７に螺合されたボルト４１によって固定板２８に取り付けられている。この結果、移動部材３４は、ノブ４２によってボルト４１を回転させてナット３７との螺合を緩めることにより、突部３８およびボルト４１が係合する第１の案内溝３９および第２の案内溝４０に沿って移動自在に設けられている。
【００３９】
さらに、図３および図４に示すように、枠材２９の四隅のうちの３箇所には、天井１１ａを貫通してガイド部材３２の吸込み口３３よりも上方まで延びる支持軸４３が立設されており、他の１箇所には、支持軸４３と等しい高さ寸法を有するとともに上部にネジ部４４ａが形成された高さ調整軸４４が回転自在に立設されている。そして、吸込み口３３の上方には、板状の風量調整板４５が配設されている。
【００４０】
この風量調整板４５は、四隅のうちの３箇所に穿設された孔部に支持軸４３が緩く挿入され、他の１箇所にはナット４６が固定されている。そして、このナット４６に高さ調整軸４４が螺合されることにより、風量調整板４５は、高さ調整軸４４のノブ４４ｂの回動により支持軸４３に沿って上下方向に移動自在に設けられている。
【００４１】
以上の構成からなる吹出口の風向制御機構およびこれを用いたダクトレス換気システムにおいては、先ず居室１１内における給気用の開口２７の配置に応じて、移動部材３４の位置を調整することにより、壁や窓ガラス側の吹出口３５を閉じておく。
例えば、図６に示すように、開口２７が窓ガラス４７の近傍に形成されることにより、４つの吹出口３５のうちの１つの吹出口３５が窓ガラス４７側に位置する場合には、当該吹出口３５を閉じておく。
【００４２】
この場合には、図７に示すように、移動部材３４を固定しているノブ４２を回動させてボルト４１とナット３７との螺合を緩め、移動部材３４の突部３８および上記ボルト４１を固定板２８の第２の案内溝４０に沿って端部まで移動させた後に、ノブ４２を逆に回動させてボルト４１をナット３７に締め込むことにより、移動部材３４を固定板２８に固定する。これにより、移動板３４によって、窓ガラス４７側に位置する吹出口３５を塞ぐことができる。この際に、塞がれた吹出口３５の反対側に位置する吹出口３５は、移動部材３４の移動によってその開口面積が２倍になる。
【００４３】
また、図２および図８に示す本実施形態のように、各居室１１のコーナー部に、室端末ファン２５を備えた吹出口の風向制御機構２６が設けられている場合には、図９に示すように、先ず移動部材３４を第１の溝部３９に沿って一方の壁部４８ａ側に移動させることにより、当該壁部４８ａ側に位置する吹出口３５を塞ぎ、さらに第２の溝部４０に沿ってその端部まで移動させることにより、隣接する壁部４８ｂ側に位置する吹出口３５を塞ぐことができる。この際にも、塞がれた２箇所の吹出口３５の反対側に位置する他の２箇所の吹出口３５は、それぞれの開口面積が２倍になる。
【００４４】
このようにして、壁部４８ａ、４８ｂ側に位置する吹出口３５を塞ぐことにより、吹出口の風向制御機構２６の設定が完了する。
次いで、本ダクトレス換気システムにおいては、循環型給気ファン１６によって、外気取入ダクト１８を介して給気口１７から吸引した０．５回／ｈｒの量の外気と、フィルター２１によって清浄化された後に環流ダクト１９を介して排気された０．５回／ｈｒの量の廊下１３の空気とを混合して、給気ダクトとなる天井内のボイドスペース１４に送気する。そして、このボイドスペース１４内の空気を、室端末ファン２５によって吹出口３５から各居室１１内へと給気する。
【００４５】
すると、居室１１内の空気は、通気部１５を通じてサニタリースペース１２および廊下１３へと流れ、これと並行して、外気取り入れ分に相当する０．５回／ｈｒの量のサニタリースペース１２内の空気が排気ファン２２によってボイドスペース１４に配管された排気ダクト２３へと流れ、排気口２４から屋外へと排気されて行く。
【００４６】
この結果、上記ダクトレス換気システムによれば、住戸内において１．０回／ｈｒの量の換気を行うことができるために、従来よりも大きな換気量を確保することができるとともに、環流ダクト１９から吸引された廊下１３の空気と外気とが天井内の広いボイドスペース１４において混合されるために、内外温度差によるヒートショックを確実に緩和することができる。加えて、天井内に設置すべきダクトを大幅に減少させることができるために経済性にも優れる。
【００４７】
しかも、各居室１１に設置した吹出口の風向制御機構２６ごとに、室端末ファン２５が設けられているために、給気用のボイドスペース１４の空気を、強制的に各居室１１に送気することができ、よって当該ボイドスペース１４が過度に正圧となって、壁のコンセント等から給気の一部が噴出することを確実に防止することができる。
【００４８】
以上のダクトレス換気システムが奏する作用効果に加えて、居室１１に設けられた吹出口の風向制御機構２６によれば、移動部材３４を固定板２８に形成した第１の溝部３９に沿って開口２７の一辺２７ａ側に移動させ、さらにこの第１の溝部３９と連通する第２の溝部４０に沿って上記一辺２７ａに隣接する他辺側に移動させることにより、移動部材３４によって居室１１のコーナー部側に位置して壁部４８ａ、４８ｂに臨む２箇所の吹出口３５を塞ぐことができる。これにより、壁部４８ａ、４８ｂに沿った下方へのドラフトが生じることを防止することができる。
【００４９】
しかも、移動部材３４の移動に伴って、室内側に臨む２箇所の吹出口３５においては、それぞれの吹き出し面積が移動前の２倍になる。さらに、開口２７を上方から囲繞する角筒状の整流壁３０を設け、かつ移動部材３４を外観多角錐状に形成することにより、整流壁３０と移動部材３４の傾斜壁面３４ａとの間に、上方から下方に向けて漸次水平方向に傾斜する流路３６を形成しているために、上記吹出口３５から室内へ供給される空気が、直下に流れることなく、水平方向かつ下方へと流れることになる。
この結果、居室１１に対する給気量を減じることなく、かつ給気を室内の中央側へと円滑に拡散させることができる。
【００５０】
室端末ファン２５を取り囲むようにして筒状のガイド部材３２を立設し、このガイド部材３２の縮径された頂部に吸込み口３３を形成するとともに、この吸込み口３３の上方に近接して風量調整板４５を設けているために、ノブ４４ｂによって風量調整板４５を支持する高さ調整軸４４を回転させて風量調整板４５を吸込み口３３に対して接離させることにより、吹出口３５から室内に供給される空気量を容易に調整することもできる。
【００５１】
なお、本発明に係る吹出口の風向制御機構の構成については、上述した風向制御機構２６の他、様々な構造を採用することが可能である。
例えば、図１０〜図１３は、上記風向制御機構の他の実施形態を示すものであり、上記風向制御機構２６と共通する構成部分については、同一符号を付してある。
【００５２】
この風向制御機構５０が上記風向制御機構２６と異なる点は、開口２７の中央部を塞ぐ固定板２８の寸法、並びに整流壁５１および移動部材５２の形状にある。
すなわち、この風向制御機構５０においては、ボイドスペース１４側に配設された整流壁５１が、枠材２９の四隅部に立設された脚部５３と、この脚部５３の上端部に一体化された四角筒状の封止壁部５４とから構成されている。
【００５３】
ここで、封止壁部５４は、その上端部に室端末ファン２５を取り付けるための平板状のファン取付板３１が固定されるとともに、その下端部が脚部５３との接合位置よりも下方に位置するように形成されている。
また、固定板２８は、図３および図４に示したものよりも、外形寸法が小さい正方形に形成されており、これにより当該固定板２８の外周縁と開口２７を画成する各辺２７ａとの間には、幅広の吹出口５５が形成されている。
【００５４】
さらに、この固定板２８上に、移動部材５２が水平方向に移動自在に設けられている。
この移動部材５２は、固定板２８よりも小さい正方形状の底板５２ａと、この底板５２ａの外周縁上に一体化された四角筒状の側壁５２ｂと、この側壁５２ｂの上端部から頂部へと傾斜する四角錐筒状の天板（傾斜壁面）５２ｃとから構成されている。そして、側板５２ｂは、その上部が封止壁部５４の下部に臨む高さ寸法に形成されている。
【００５５】
以上の構成からなる吹出口の風向制御機構５０においては、同様に、例えば図６に示すように、開口２７が窓ガラス４７の近傍に形成され、４つの吹出口５５のうちの窓ガラス４７側に位置する吹出口５５を閉じておく場合には、図１２に示すように、移動部材５２の突部３８およびボルト４１を固定板２８の第２の案内溝４０に沿って端部まで移動させる。そして、移動板５２の側壁５２ｂを封止壁部５４に当接させることによって、窓ガラス４７側に位置する吹出口５５を塞ぐことができる。
【００５６】
また、図２および図８に示すように、壁部４８ａ、４８ｂによって形成されたコーナー部の天井に風向制御機構５０が設けられている場合には、図１３に示すように、移動部材５２を第１の溝部３９に沿って一方の壁部４８ａ側に移動させ、その側壁５２ｂを封止壁部５４に当接させることによって壁部４８ａ側に位置する吹出口５５を塞ぎ、さらに第２の溝部４０に沿ってその端部まで移動させることにより、隣接する壁部４８ｂ側に位置する側壁５２ｂを封止壁部５４に当接させて吹出口３５を塞ぐことができる。
【００５７】
したがって、上記吹出口の風向制御機構５０およびこれを用いたダクトレス換気システムによっても、図１〜図９に示したものと同様の作用効果を得ることが可能である。
【００５８】
なお、上記実施の形態においては、いずれも吸込み口３３の上方に、板状の風量調整板４５を配設した場合についてのみ説明したが、本発明はこれに限定されるものではなく、当該風量調整板４５を省略することもできる。
【図面の簡単な説明】
【００５９】
【図１】本発明に係るダクトレス換気システムの一実施形態を示す縦断面図である。
【図２】図１の平面図である。
【図３】本発明に係る吹出口の風向制御機構の一実施形態を示す縦断面図である。
【図４】図３の固定板を省略した底面図である。
【図５】図３の固定板と移動部材を模式的に示した図で、（ａ）は縦断面図、（ｂ）は案内溝の形状を示す底面図である。
【図６】図３の風向制御機構を窓ガラスに近接して配置した状態を示す平面図である。
【図７】図６の配置状態における移動部材の移動位置を示す図で、（ａ）は縦断面図、（ｂ）は固定板を省略した底面図、（ｃ）は案内溝に対する移動部材の移動位置を示す図である。
【図８】図３の風向制御機構を居室のコーナー部に配置した状態を示す平面図である。
【図９】図８の配置状態における移動部材の移動位置を示す図で、（ａ）は固定板を省略した底面図、（ｂ）は案内溝に対する移動部材の移動位置を示す図である。
【図１０】本発明に係る吹出口の風向制御機構の他の実施形態を示す縦断面図である。
【図１１】図１１の固定板を省略した底面図である。
【図１２】図１０の移動部材を移動させて１箇所の吹出口を閉じた状態を示す図で、（ａ）は縦断面図、（ｂ）は固定板を省略した底面図、（ｃ）は案内溝に対する移動部材の移動位置を示す図である。
【図１３】図１０の移動部材を移動させて隣接する２箇所の吹出口を閉じた状態を示す図で、（ａ）は固定板を省略した底面図、（ｂ）は案内溝に対する移動部材の移動位置を示す図である。
【図１４】従来の換気システムを示す縦断面図である。
【図１５】従来の他の換気システムを示す縦断面図である。
【符号の説明】
【００６０】
１０  住戸
１１  居室（給気すべき部屋）
１１ａ  天井
１２  サニタリースペース（第２の部屋）
１３  廊下（第１の部屋）
１４  ボイドスペース
１５  空気の流通路
１６  循環型給気ファン
１７  給気口
１８  外気取入ダクト
１９  環流ダクト
２２  排気ファン
２３  排気ダクト
２５  室端末ファン
２６  吹出口の風向制御機構
２７  開口
２７ａ  開口の一辺
２８  固定板
３３  吸込み口
３４、５２  移動部材
３４ｂ  傾斜壁面
３５、５５  吹出口
３８  突部
３９  第１の溝部
４０  第２の溝部
４５  風量調整板
５２ｂ  側壁
５２ｃ  天板（傾斜壁面）
５４  封止壁部
【図１】
2008032347.tif 000003
【図２】
2008032347.tif 000004
【図３】
2008032347.tif 000005
【図４】
2008032347.tif 000006
【図５】
2008032347.tif 000007
【図６】
2008032347.tif 000008
【図７】
2008032347.tif 000009
【図８】
2008032347.tif 000010
【図９】
2008032347.tif 000011
【図１０】
2008032347.tif 000012
【図１１】
2008032347.tif 000013
【図１２】
2008032347.tif 000014
【図１３】
2008032347.tif 000015
【図１４】
2008032347.tif 000016
【図１５】
2008032347.tif 000017